(57)【要約】【課題】帯材の帯幅方向を縦にして並設した主部材２群の端部に、主部材２と直交する側枠部材３を組立て連結するグレーチングにおいて、その組立て性の向上を図り、かつ主部材２の「ガタつき」不発生の高品質にする。【解決手段】主部材２は、頂点１５または底辺１１を主部材２の端部に臨ませる三角形状のロック孔６を有し、かつ、スリット７を介してロック孔６を上下分割した舌片状の連結係止片４を突設し、側枠部材３は、連結係止片４を通してロック孔６を突き出す係止孔５を備え、さらに、係止孔５に通した連結係止片４のロック孔６群に圧入貫入する横断面三角形状の閂形態のロック部材８を設け、ロック部材８によって主部材２と側枠部材３を緊締形態に連結固定する構造のグレーチング１が特徴である。【選択図】　　図１
2004027643.tif 000002
【特許請求の範囲】
【請求項１】
帯材の帯幅方向を縦にして並設した主部材群の端部に、該主部材と直交する側枠部材を連結固定するグレーチング・格子状パネルにおいて、前記主部材は、頂点または底辺を前記端部に臨ませる三角形状のロック孔を有し、かつ、スリットを介して該ロック孔を上下分割した舌片状の連結係止片を前記端部に突設し、前記側枠部材は、該連結係止片を通して該ロック孔を突き出す係止孔を備え、さらに、該係止孔に通した前記連結係止片の前記ロック孔群に圧入貫入する横断面三角形状の閂形態のロック部材を設け、該ロック部材によって前記主部材と前記側枠部材を緊締形態に連結固定する構造を特徴とするグレーチング・格子状パネル。
【請求項２】
ロック孔と、ロック部材の横断面形状が隅丸正三角形状である請求項１のグレーチング・格子状パネル。
【発明の詳細な説明】
【０００１】
【発明の属する技術分野】
本発明は、排水溝等の上部に敷設する格子形態のグレーチングと、格子形態を有して「床面に敷設するフロアパネル」「建築構築物の手摺り壁面パネル」等として使用する格子状パネルに関するものである。
【０００２】
【従来の技術】
方形格子体のグレーチングは特願２０００−０４０７６９に示される公知例として（図４参照）主部材のベアリングバー３１の端部に方形のロック孔３４を設けた連結係止片３３を突設すると共に、側枠部材３２に係止孔３５を穿設し、この係止孔３５に連結係止片３３を通して組合せ、しかるのち、係止孔３５から突き出した連結係止片３３のロック孔３４群に方形断面形状の閂形態のロック部材３６を挿入着してベアリングバー３１群と側枠部材３２を組立てロックする組立て連結構造の公知例がある。
【０００３】
一方（図５参照）建築構築物の手摺り用パネル４０は、並設した帯状材の主材４１の端部に枠材４２を連結固定した方形格子体形態にして、応分の機械的性質・耐飾性・意匠性が必要になるので主材４１と枠材４２をアルミニウム材・ステンレス材にして「ビス止め・リベット止め」手段（溶着が不能または困難）によって相互連結された構造に成っている。
【０００４】
【発明が解決しようとする課題】
前記公知例の「組立て連結構造のグレーチング３０」はロック孔３４を有する連結係止片３３が剛性片構造にして、ロック部材３６のロック孔３４への圧入抵抗によって弾性変位できないので、そのロック孔３４とロック部材３６の「ガタつき」防止を意図して両者の嵌合公差を小に設定するとロック部材３６の圧入貫入が困難にして組立て性が悪く、その圧入貫入をし易くするために該嵌合公差を大に設定すると、ベアリングバー３１と側枠部材３２の密着性が悪く通過車輌荷重等を担持するベアリングバーが「ガタガタ」して使用時の騒音発生の要因となる難点がある。
【０００５】
一方、前記の手摺り用パネルは「ビス止め・リベット止め」の連結加工が多大の手数と時間を要して作業性・成形性が悪く、コスト高をもたらすと共に、外観意匠性が悪く、その上、変形・損傷した主部材４１の交換が困難にしてメンテナンス性に欠ける。
【０００６】
本発明は、以上の従来技術の難点を解消する組立て連結構造のグレーチングと格子状パネルを提供するものである。
【０００７】
【課題を解決するための手段】
以上の技術課題を解決する本発明の「グレーチング・格子状パネル」は「帯材の帯幅方向を縦にして並設した主部材群の端部に、該主部材と直交する側枠部材を連結固定するグレーチング・格子状パネルにおいて、前記主部材は、頂点または底辺を前記端部に臨ませる三角形状のロック孔を有し、かつ、スリットを介して該ロック孔を上下分割した舌片状の連結係止片を前記端部に突設し、前記側枠部材は、該連結係止片を通して該ロック孔を突き出す係止孔を備え、さらに、該係止孔に通した前記連結係止片の前記ロック孔群に圧入貫入する横断面三角形状の閂形態のロック部材を設け、該ロック部材によって前記主部材と前記側枠部材を緊締形態に連結固定する構造」に成っている。
【０００８】
即ち、以上の構成の本発明の「グレーチング・格子状パネル」は、主部材側の連結係止片のロック孔に貫設する閂形態のロック部材によって、並設した主部材群と側枠部材を連結固定する構造のものにおいて、その連結係止片を該ロック部材の圧入貫入抵抗によって該ロック孔が容易に弾性変形して拡口できる片持梁状の弾性係止片に構成し、該ロック孔群へのロック部材の圧入貫入性の向上と該ロック孔とロック部材の密着嵌合を図り、さらに、該ロック部材と該ロック孔を前記の三角形横断面形状にすることによって、前記主部材と前記側枠部材の連結固定性の向上を図る思想を特徴とするものである。
【０００９】
そして、以上の技術思想の一段の安定向上を図る意図から、前記ロック孔と前記ロック部材の横断面形状は正三角形または略正三角形の態様を採択する。
【００１０】
【作用】
以上の構成の本発明のグレーチング・格子状パネルは、ロック孔にロック部材を貫入する連結係止片が「スリットを介して上下２分した弾性片持梁片」に構成されているので、それぞれのロック孔が圧入貫入されるロック部材の圧入抵抗によって弾性変位拡口して順応する。従って、ロック部材の貫入セットがし易くなると共に、ロック部材の外周にロック孔が密着圧接してフィットし、その連結係止片を突設した主部材と該ロック部材の密着セット性が向上する。
【００１１】
そして、そのロック孔の形状とロック部材の横断面形状が「三角形状にして、かつ、該三角形の頂点または頂点に対応する底辺が前記主部材の端部に臨む配設形態」であることから、該ロック孔への該ロック部材の圧入抵抗を若干付与しておくことによって、その圧入抵抗を受ける該ロック部材の三角形頂点を挟む２辺に生ずる該圧入抵抗に基づく「該ロック部材の左右方向の作用力」を生じ、その作用力によって前記主部材と前記側枠部材を「ガタつき」不発生状態で緊締ロック状態に組立て連結する特有作用がある。
【００１２】
【発明の実施の形態】
まず、本発明１実施例のグレーチング１を図１を参照して説明する。即ち、横断面Ｔ形の帯状材の帯幅方向を縦にしてピッチＰで並設した主部材２（従来構造のベアリングバー）の両端に中空管体の側枠部材３を連結固定して方形格子体に成すグレーチング１において、この主部材２と側枠部材３は「主部材２の両端に突設した三角形状ロック孔６つき弾性片の連結係止片４」と「側枠部材３の係止孔５」と「横断面三角形状の閂形態のロック部材８」から成る組立て連結構造を有している。
【００１３】
詳しくは、主部材２の端部２Ａには帯状材の中間部分を残して突出して略正三角形状のロック孔６を穿設した連結係止片４が設けられ、このロック孔６は、三角形の頂点を外向きにして底辺１１を主部材２の端部２Ａに平行させて臨ませると共に、該頂点部分にスリット７を備え、このスリット７によって上下２分割された上下一対の片持梁弾性片を成している。
【００１４】
そして、側枠部材３の壁板３Ａには、主部材２の連結係止片４を「ガタつき」なく受け入れて通す係止孔５が並設穿設され、この係止孔５のそれぞれに連結係止片４を差し込んで通すとロック孔６が側枠部材３の中空部にあらわれ、そのロック孔６群に共通のロック部材８を圧入貫入して主部材２と側枠部材３を「ガタつき不発生の緊締形態」にして組合せ連結固定する構造になっている。
【００１５】
なお、この実施例のロック部材８は、３個の頂点に丸味つけた隅丸正三角形にして長さ方向の先端部のみを若干の先細テーパー形状に成し、前記の圧入貫入をし易くする配慮が施してある。
【００１６】
そして（図１（Ｃ）参照）ロック部材８を係止孔５から突き出しているロック孔６に圧入貫入すると、ロック孔６が弾性拡径してロック部材８の頂点１０を挟む２辺がロック孔６の周縁に圧設すると共に、その圧入貫入によって底面１３を側枠部材３の壁板３Ａに圧接しているロック部材８の底面１３と、ロック孔６の底辺１１間に微量遊隙Ｃが発生する形状に設定されている。
【００１７】
以上の実施例のグレーチング１は前記の作用がある。即ち、ロック孔６群へのロック部材８の前記の圧入貫入セット状態において、連結係止片４は主部材２の端部を固定端に成す上下一対対称の片持梁弾性片に構成されているので、ロック部材８の圧入によってスリット７を拡口する弾性変形してロック部材８を受け入れ、ロック部材８の頂点１０を挟む２辺にロック孔６の斜辺１２を弾接させた形態を呈して嵌合する。
【００１８】
以上の弾接嵌合によってロック部材８の前記２片に生ずる図示矢印Ｐの圧接力による分力の作用力Ｘがロック部材８の底面１３をロック孔６の底辺１１に押し付ける方向（ロック部材８の底面１３を主部材２の端部２Ａに近づける方向）に生じ、その反力によって主部材２がロック部材８に引き付けられる。
【００１９】
かくして、この作用力Ｘによって主部材２の端部２Ａと側枠部材３の壁板３Ａが弾着圧接して、主部材２群は側枠部材３に対して「ガタつき」不発生形態で強固に連結固定され、上面を通過する車輌荷重によって「ガタガタ騒音」を生じない高品質グレーチングに成る。
【００２０】
続いて、図２を参照して本発明の格子状パネルの１実施例を説明する。即ち、この図２に示すものは、アルミニウム材の帯材を並設した主部材２群をアルミニウム材の側枠部材３に連結した方形格子体を成す建物構築物の手摺り用パネル２０であり、同じくスリット７つき隅丸正三角形状のロック孔６を有する上下一対の弾性片持梁の連結係止片４と、側枠部材３の係止孔５と、横断面が隅丸正三角形のステンレス材のロック部材８から成る組立て連結固定手段を有している。
【００２１】
詳しくは、この図２実施例の連結係止片４のロック孔６は、図１のものと方向が１８０°相反しており、三角形の頂点１５を主部材２の端部２Ａに臨ませ、かつ頂点１５に対向する底辺１１にスリット７を設けた形状を有し、側枠部材３の係止孔５に通して突き出した連結係止片４のロック孔６にロック部材８を圧入貫入することによって、主部材２と側枠部材３を緊締形態に連結固定する構造に成っている。
【００２２】
そして、その緊締状態のロック部材８の頂点１０とロック孔６の頂点１５間に微小遊隙Ｃが生ずる相対形状に設定されている。なお、図中の１６は主部材２間の補強バーである。
【００２３】
以上の図２実施例の手摺り用パネル２０は図１実施例と同様な作用がある。即ち（図２（Ｃ）参照）前記の緊締形態の連結固定状態において、スリット７の拡口による上下一対の片持梁弾性片の連結係止片４のロック孔６の頂点１５を挟む斜辺１２のロック部材８への弾接力によって「ロック部材８を、主部材２の端部２Ａから遠ざける方向の図示矢印の作用力Ｘ」を生じ、その作用力によって側枠部材３と主部材２群のそれぞれが前記の緊締形態に連結結合される。
【００２４】
かくして、この実施例の手摺り用パネル２０は、手数を要してコスト高となる従来のリベットかしめ等の連結加工が無用にして、かつ、主部材２の「がたつき」不存在にして「従来物の溶着痕・リベット等の外観美を損うものが存在しないので」構築物要素として外観意匠性に優れる高品質に成形できる。そして、使用中の主部材２の変形損傷による交換が可能にして良好なメンテナンス性が確保できる。
【００２５】
続いて、図３を参照して本発明の格子状パネルの他の実施例のフロアパネル２５を説明する。即ち、並設した主部材２の両端に側枠部材３を連結した方形格子体にしてクリーンルーム等の床面に敷設するフロアパネル２５において、このフロアパネル２５のアルミニウム材の主部材２群とステンレス材の側枠部材３は、図２実施例の手摺り用パネル２０と同一の「三角形状のロック孔６つき弾性片持梁の連結係止片４と、係止孔５を有する側枠部材３と、横断面隅丸正三角形状のステンレス材のロック部材８」から成る連結固定手段を有している。
【００２６】
即ち補足すれば、この実施例の主部材２は、幅小の上部平坦部２８の両側に長板２６と短板２７を曲成垂設した「７文字形態のセブンバー帯状材」にして、その長板２６の端部に連結係止片４を突設した形状を有している。
【００２７】
以上の図３実施例のフロアパネル２５は図２実施例の手摺り用パネル２０と同様な作用効果がある。
【００２８】
なお、本発明のグレーチング・格子状パネルは前記の実施例に限定されず、例えば、ロック孔６・ロック部材８の横断面形状は厳格な正三角形や隅丸正三角形以外の二等辺三角形状等でも良い。
【００２９】
【発明の効果】
以上の説明のとおり、本発明のグレーチングは、主部材と側枠部材の煩雑にして多大の手数がかかる溶着加工と溶着強度管理が無用にして加工成形性を向上すると共に、主部材の「ガタつき」不発生の高品質の組立連結構造グレーチングが提供できる。
【００３０】
そして、本発明の格子状パネルは、同じく溶着加工等が無用にして加工成形性を向上すると共に、主部材の「ガタつき」不発生の高品質パネルを提供し、さらに、溶着加工・リベットかしめ等の外観美を損うものが不存在にして意匠性に優れ、かつ、メンテナンス性に優れるパネルが提供できる。以上の実用性に優れる諸効果がある。
【図面の簡単な説明】
【図１】本発明のグレーチングの１実施例を示し、（Ａ）はその部分斜視図、（Ｂ）はその構成部材の斜視図、（Ｃ）は組立て連結と作用状態を示す側面図
【図２】本発明の格子状パネルの１実施例の手摺り用パネルを示し、（Ａ）はその部分斜視図、（Ｂ）はその構成部材の斜視図、（Ｃ）は組立て連結と作用状態を示す側面図
【図３】本発明の格子状パネルの他の実施例のフロアパネルを示し、（Ａ）はその部分斜視図、（Ｂ）はその構成部材の斜視図
【図４】従来のグレーチングを示し、（Ａ）はその部分斜視図、（Ｂ）はその構成部材の斜視図、（Ｃ）は連結状態の側面図
【図５】従来の手摺り用パネルを示し、（Ａ）はその部分斜視図、（Ｂ）はその構成部材の斜視図
【符号の説明】
１　本発明のグレーチング
２　主部材
３　側枠部材
４　連結係止片
５　係止孔
６　ロック孔
７　スリット
８　ロック部材
１０　ロック部材の頂点
１１　ロック孔の底辺
１２　ロック孔の斜辺
１３　ロック部材の底面
１５　ロック孔の頂点
２０　本発明の手摺り用パネル
２５　本発明のフロアパネル
３０　従来のグレーチング
４０　従来の手摺り用パネル
Ｃ　遊隙
Ｘ　作用力
【図１】
2004027643.tif 000003
【図２】
2004027643.tif 000004
【図３】
2004027643.tif 000005
【図４】
2004027643.tif 000006
【図５】
2004027643.tif 000007